(57)【要約】【課題】  箸素材の重さに捕われず、かつ、外観を変えることなく、重さを所要の重さとすることができる箸を提供する。【解決手段】  箸１は、木または竹に属する箸素材からなる箸本体２の、箸先部６を除く所要の位置に、閉塞する収容空間４を有する。そして、収容空間４に、その収容空間４の容積に相当する前記箸素材の重さとは異なる重さの、金属等からなる重さ調整部材５が収容される。ここで、箸本体２は、箸１の支点部分（箸１を持ったときに親指の指先側が当たる部分）で分割され、前記収容空間４は、その分割された分割面２ｃに対して両側に設けられる。【選択図】  図１
2014200636.tif 000002
【特許請求の範囲】
【請求項１】
木または竹に属する箸素材からなる箸本体の、箸先部を除く所要の位置に、閉塞する収容空間を有し、
前記収容空間に、その収容空間の容積に相当する前記箸素材の重さとは異なる重さの、重さ調整部材が収容されていることを特徴とする箸。
【請求項２】
外部から前記箸本体の素地が視認されるように塗装されていることを特徴とする、請求項１に記載の箸。
【発明の詳細な説明】
【技術分野】
【０００１】
この発明は、重さ調整がされた箸に関するものである。
【背景技術】
【０００２】
従来、一般には、箸は、単一の素材から作られ、箸の重さは、その素材の種類と箸のサイズによって決まっていた。一方、特殊な箸として、箸に錘を取り付けた箸があった（例えば、特許文献１参照）。この箸は、箸先部を浮き上らせた状態で置くことができるように、頭部に錘を設けたものであったが、その錘は、見える状態で埋め込まれていた。
【先行技術文献】
【特許文献】
【０００３】
【特許文献１】特開平７−１９４４７３
【発明の概要】
【発明が解決しようとする課題】
【０００４】
ところで、前記従来の単一の素材からなる箸は、その重さは、素材の種類によって自ずと決まり、その重さを所要の重さとすることができなかった。そして、頭部に錘を設けた箸は、その箸に所要の重さ（つまり、使用者の求める重さ）の箸を得るという意図はなく、また、錘が見えることで外観が変わるものであった。
【０００５】
この発明は、上記した従来の欠点を解決するためになされたものであり、その目的とするところは、箸素材の重さに捕われず、かつ、外観を変えることなく、重さを所要の重さとすることができる箸を提供することにある。
【課題を解決するための手段】
【０００６】
この発明に係る箸は、前記目的を達成するために、次の構成からなる。すなわち、
請求項１に記載の発明に係る箸は、木または竹に属する箸素材からなる箸本体の、箸先部を除く所要の位置に、閉塞する収容空間を有する。そして、前記収容空間に、その収容空間の容積に相当する前記箸素材の重さとは異なる重さの、重さ調整部材が収容されている。
【０００７】
この箸によると、箸本体は、収容空間に、重さ調整部材が収容されるため、この重さ調整部材の重さを設定することで、箸の重さを所要の重さ、特に使い勝手の良い重さとすることができる。そして、箸本体は、木または竹に属する箸素材からなり、収容空間が閉塞してその収容空間が箸素材によって覆われることから、その収容空間とか、その収容空間に収容される重さ調整部材を、使用者が視認できない状態にある。このため、箸の外観が変ることはない。
【０００８】
また、請求項２に記載の発明に係る箸のように、請求項１に記載の箸において、外部から前記箸本体の素地が視認されるように塗装されてもよい。これにより、使用者は、箸本体の素地が目に留まることで、箸の重さを予測できる一方で、箸を持ったときにその予測した重さとは異なる重さを感じるため、使用者に驚きと面白みを与えることができる。
【発明の効果】
【０００９】
この発明に係る箸によれば、箸本体に収容空間を設け、その収容空間に重さ調整部材を収容することで、箸素材の重さに捕われず、かつ、外観を変えることなく、重さを所要の重さとすることができる。
【図面の簡単な説明】
【００１０】
【図１】この発明に係る箸の第一の実施の形態の、縦断面図である。
【図２】この発明に係る箸の第二の実施の形態の、縦断面図である。
【図３】この発明に係る箸の第三の実施の形態の、縦断面図である。
【図４】この発明に係る箸の第四の実施の形態の、縦断面図である。
【図５】この発明に係る箸の第五の実施の形態の、縦断面図である。
【図６】この発明に係る箸の第六の実施の形態の、縦断面図である。
【発明を実施するための形態】
【００１１】
以下、この発明に係る箸を実施するための形態を図面に基づいて説明する。
【００１２】
図１は、本発明の第一の実施の形態を示す。図中符号１は、箸を示す。２は、その箸１を構成する箸本体を示す。
【００１３】
ここで、箸１は、木または竹に属する箸素材からなる箸本体２の、箸先部３を除く所要の位置に、閉塞する収容空間４を有する。そして、その収容空間４に、その収容空間４の容積に相当する箸素材の重さとは異なる重さの、重さ調整部材５が収容されている。
【００１４】
詳細には、重さ調整部材５は、収容空間４の容積に相当する箸素材の重さよりも重く設定されている。すなわち、この重さ調整部材５は、箸１の錘として作用する。そして、図示実施の形態においては、重さ調整部材５は、収容空間４に、その収容空間４の全体に渡って収容されて、収容空間４が設けられることによる箸本体２の強度不足を補う、補強部材としても機能する。
【００１５】
具体的には、箸本体２は、木または竹に属する箸素材として、比較的軽い材料であるスギとかヒノキからなる。そして、箸本体２は、上下に分割されて、箸先部３側（下側）の第１分割体２ａと、箸頭部６側（上側）の第２分割体２ｂとで構成される。詳細には、箸本体２は、箸１の支点部分（箸１を持ったときに親指の指先側が当たる部分）、つまり箸１（箸本体２）の長さに対し、箸頭部６側の端から略１／３の位置で、上下に分割される。そして、収容空間４は、箸本体２の分割された分割面２ｃに対して両側に設けられる。すなわち、収容空間４は、分割面２ｃからあけられた、箸先部３側（つまり、第１分割体２ａ）の第１収容空間４ａと、箸頭部６側（つまり、第２分割体２ｂ）の第２収容空間４ｂとで構成される。
【００１６】
重さ調整部材５は、例えば、金属からなる。この重さ調整部材５は、棒状に形成されて、第１分割体２ａと第２分割体２ｂとのそれぞれの分割面２ｃから、第１収容空間４ａと第２収容空間４ｂとのそれぞれに挿入される。つまり、重さ調整部材５は、第１収容空間４ａと第２収容空間４ｂとに跨るように挿入される。そして、挿入後には、第１分割体２ａと第２分割体２ｂとは、分割面２ｃにおいて、例えば、互いに接着されて連結される。
【００１７】
また、この箸１は、外部から箸本体２の素地が視認されるように塗装されている。この塗装に関しては、漆、蜜ろう、柿渋、セラック、植物性の乾性油等の天然の塗料とか、あるいは、合成樹脂塗料等その他の塗料を用いることができる。そして、塗装に当たっては、一般には、目止め用の塗装が施された後に、仕上げの塗装が施されるが、目止めのみであってもよく、その塗装の手法は特に問わない。
【００１８】
次に、以上の構成からなる箸１の作用効果について説明する。
【００１９】
この箸１によると、箸本体２は、収容空間４に、重さ調整部材５が収容されるため、この重さ調整部材５の重さを設定することで、箸１の重さを所要の重さ、特に使い勝手の良い重さとすることができ、また、使用者の重さに対する多様なニーズに応えることができる。そして、箸本体２は、木または竹に属する箸素材からなり、収容空間４が閉塞してその収容空間４が箸素材によって覆われることから、その収容空間４とか、その収容空間４に収容される重さ調整部材５を、使用者が視認できない状態にある。このため、箸１の外観が変ることはない。すなわち、箸本体２に収容空間４を設け、その収容空間４に重さ調整部材５を収容することで、箸素材の重さに捕われず、かつ、外観を変えることなく、重さを所要の重さ（つまり、使用者の求める重さ）とすることができる。
【００２０】
また、外部から前記箸本体２の素地が視認されるように塗装されているため、使用者は、箸本体２の素地が目に留まることで、箸１の重さを予測できる。その一方で、箸１を持ったときにその予測した重さとは異なる重さを感じるため（図示実施の形態においては、重さ調整部材５が錘であって、予測した重さよりも重く感じるため）、使用者に驚きと面白みを与えることができる。
【００２１】
また、箸本体２は、箸１の支点部分で分割されて、重さ調整部材５は、第１分割体２ａにおける第１収容空間４ａと第２分割体２ｂにおける第２収容空間４ｂとに挿入されることから、重さ調整部材５を設けたことによる箸１の重心の変動を小さくすることができる。このため、箸１の持ち易さを損なうことがない。
【００２２】
図２は、本発明の第二の実施の形態を示す。この実施の形態は、第一の実施の形態とは、箸本体２の構造、特に収容空間４の位置が異なるが、他は同様であり、以下に、同様の部位には同一の符号を付して、異なる部分を主に説明する。
【００２３】
箸本体２は、木または竹に属する箸素材として、スギとかヒノキからなる。そして、箸本体２は、その箸本体２のほぼ全体を占める箸本体主部２ｓと蓋２ｔとからなる。箸本体主部２ｓは、その頂面２ｕ（図示実施の形態においては、箸頭部６の端面）から箸先部３側に向かって孔２ｖがあけられている。そして、孔２ｖの口元部分を塞ぐ蓋２ｔによって、その内側に、閉塞する収容空間４が形成される。そして、その収容空間４には、第一の実施の形態と同様に、錘となる棒状の重さ調整部材５が収容され、また、この重さ調整部材５は、収容空間４の全体に渡って収容されて、収容空間４が設けられることによる箸本体２の強度不足を補う、補強部材としても機能する。詳細には、重さ調整部材５は、孔２ｖに、口元側から挿入され、その後に、口元部分が蓋２ｔによって塞がれる。このとき、蓋２ｔは、箸本体主部２ｓに対し、接着されたり、孔２ｖに圧入されたりして取り付けられる。
【００２４】
この第二の実施の形態に示す箸１の作用効果は、第一の実施の形態と同様であるが、錘となる重さ調整部材５が箸頭部６側に偏ることから、箸１の重心は、箸頭部６側に移動する。
【００２５】
図３は、本発明の第三の実施の形態を示す。この実施の形態は、第一の実施の形態とは、箸本体２の材料が異なり、また、重さ調整部材５が、錘ではなく軽量化部材である点が異なるが、他は同様であり、以下に、同様の部位には同一の符号を付して、異なる部分を主に説明する。
【００２６】
箸本体２は、木または竹に属する箸素材として、比較的重い材料である黒檀とか鉄木からなる。
【００２７】
重さ調整部材５は、収容空間４の容積に相当する箸素材の重さよりも軽く設定されている。すなわち、この重さ調整部材５は、箸１の軽量化部材として作用する。そして、重さ調整部材５は、収容空間４に、その収容空間４の全体に渡って収容されて、収容空間４が設けられることによる箸本体２の強度不足を補う、補強部材としても機能する。
【００２８】
詳細には、重さ調整部材５は、例えば、金属とか合成樹脂からなる。この重さ調整部材５は、筒状に形成されて、箸本体２を構成する第１分割体２ａと第２分割体２ｂとのそれぞれの分割面２ｃから、第１分割体２ａの第１収容空間４ａと第２分割体２ｂの第２収容空間４ｂとのそれぞれに挿入される。つまり、重さ調整部材５は、第１収容空間４ａと第２収容空間４ｂとに跨るように挿入される。そして、挿入後には、第１分割体２ａと第２分割体２ｂとは、分割面２ｃにおいて、例えば、互いに接着されて連結される。
【００２９】
この第三の実施の形態に示す箸１の作用効果は、第一の実施の形態と同様であるが、重さ調整部材５が、軽量化部材であることから、使用者は、箸本体２の素地から予測した重さとは異なる重さを感じる、つまり予測した重さよりも軽く感じることで、使用者に驚きと面白みを与えることができる。
【００３０】
図４は、本発明の第四の実施の形態を示す。この実施の形態は、第二の実施の形態とは、箸本体２の材料が異なり、また、重さ調整部材５が、錘ではなく軽量化部材である点が異なるが、他は同様であり、以下に、同様の部位には同一の符号を付して、異なる部分を主に説明する。
【００３１】
箸本体２は、木または竹に属する箸素材として、比較的重い材料である黒檀とか鉄木からなる。
【００３２】
重さ調整部材５は、収容空間４の容積に相当する箸素材の重さよりも軽く設定されている。すなわち、この重さ調整部材５は、箸１の軽量化部材として作用する。そして、重さ調整部材５は、収容空間４に、その収容空間４の全体に渡って収容されて、収容空間４が設けられることによる箸本体２の強度不足を補う、補強部材としても機能する。詳細には、重さ調整部材５は、例えば、金属とか合成樹脂からなり、筒状に形成されている。
【００３３】
この第四の実施の形態に示す箸１の作用効果は、第二の実施の形態と同様であるが、重さ調整部材５が、軽量化部材であることから、使用者は、箸本体２の素地から予測した重さとは異なる重さを感じる、つまり予測した重さよりも軽く感じることで、使用者に驚きと面白みを与えることができる。そして、軽量化部材となる重さ調整部材５が箸頭部６側に偏ることから、箸１の重心は、箸先部３側に移動する。
【００３４】
図５は、本発明の第五の実施の形態を示す。この実施の形態は、第一の実施の形態とは、重さ調整部材５の構成が異なるが、他は同様であり、以下に、同様の部位には同一の符号を付して、異なる部分を主に説明する。
【００３５】
重さ調整部材５は、筒体５ａと、数が選択して用いられる小片５ｂと、詰物５ｃとを備える。筒体５ａは、例えば、金属とか合成樹脂からなる。この筒体５ａは、収容空間４に、その収容空間４の全体に渡って収容されて、収容空間４が設けられることによる箸本体２の強度不足を補う、補強部材としても機能する。詳細には、筒体５ａは、箸本体２を構成する第１分割体２ａと第２分割体２ｂとのそれぞれの分割面２ｃから、第１分割体２ａの第１収容空間４ａと第２分割体２ｂの第２収容空間４ｂとのそれぞれに挿入される。つまり、筒体５ａは、第１収容空間４ａと第２収容空間４ｂとに跨るように挿入される。
【００３６】
小片５ｂは、例えば、金属からなり、図示実施の形態においては、球状に形成されている。そして、小片５ｂは、筒体５ａ内に所要の数が挿入されて、全体の重さが調整される。詰物５ｃは、軽量の材料からなり、筒体５ａ内における、小片５ｂで満たされていない空間を埋めるように挿入される。
【００３７】
この第五の実施の形態に示す箸１の作用効果は、第一の実施の形態と同様であるが、重さ調整部材５が、数が選択して用いられる小片５ｂを有することから、この箸１の製造者のみならず、箸１を購入した箸１の使用者において、小片５ｂを適宜数組み込むようにして箸１を組み立てることができる。すなわち、使用者が自ら、箸１の重さを好みの重さに調整することができる。
【００３８】
図６は、本発明の第六の実施の形態を示す。この実施の形態は、第二の実施の形態とは、重さ調整部材５の構成が異なるが、他は同様であり、以下に、同様の部位には同一の符号を付して、異なる部分を主に説明する。
【００３９】
重さ調整部材５は、筒体５ａと、数が選択して用いられる小片５ｂと、詰物５ｃとを備える。筒体５ａは、例えば、金属とか合成樹脂からなる。この筒体５ａは、収容空間４に、その収容空間４の全体に渡って収容されて、収容空間４が設けられることによる箸本体２の強度不足を補う、補強部材としても機能する。詳細には、筒体５ａは、箸本体２における孔２ｖに、口元側から挿入される。
【００４０】
小片５ｂは、例えば、金属からなり、図示実施の形態においては、球状に形成されている。そして、小片５ｂは、筒体５ａ内に所要の数が挿入されて、全体の重さが調整される。詰物５ｃは、軽量の材料からなり、筒体５ａ内における、小片５ｂで満たされていない空間を埋めるように挿入される。こうして、箸本体２の孔２ｖに、筒体５ａと小片５ｂと詰物５ｃとが挿入された後に、孔２ｖの口元部分が蓋２ｔによって塞がれる。
【００４１】
この第六の実施の形態に示す箸１の作用効果は、第二の実施の形態と同様であるが、重さ調整部材５が、数が選択して用いられる小片５ｂを有することから、この箸１の製造者のみならず、箸１を購入した箸１の使用者において、小片５ｂを適宜数組み込むようにして箸１を組み立てることができる。すなわち、使用者が自ら、箸１の重さを好みの重さに調整することができる。
【００４２】
なお、本発明は、上述した実施の形態に限定されるわけではなく、その他種々の変更が可能である。例えば、箸１は、外部から箸本体２の素地が視認されるように塗装されているが、必ずしも箸本体２の素地が視認されなくともよい。
【００４３】
また、第三および第四の実施の形態において、重さ調整部材５としての軽量化部材は、筒状に形成されているが、箸本体２（箸素材）よりも比重の小さい材料（スギとかヒノキ、その他の比重の小さい材料）からなる棒状の部材からなっていてもよい。
【００４４】
また、第一および第二、並びに、第五および第六の実施の形態においては、箸素材として、スギとかヒノキが用いられ、第三および第四の実施の形態においては、箸素材として、黒檀とか鉄木が用いられているが、反対に、前者に、黒檀とか鉄木が用いられ、後者に、スギとかヒノキが用いられてもよく、一般に、木または竹に属するものであればどのようなものでもよい。
【００４５】
また、第一、第三および第五の実施の形態において、箸本体２は、箸１の支点部分で分割されるが、箸本体２は、この支点部分に限らず、箸１（箸本体２）の中間位置で分割されて、第１収容空間４ａと第２収容空間４ｂとが形成されてもよい。
【００４６】
また、以上に示す箸の各構成要素とか構造を適宜組み合わせることができるのは勿論である。
【符号の説明】
【００４７】
１  箸
２  箸本体
３  箸先部
４  収容空間
５  重さ調整部材
【図１】
2014200636.tif 000003
【図２】
2014200636.tif 000004
【図３】
2014200636.tif 000005
【図４】
2014200636.tif 000006
【図５】
2014200636.tif 000007
【図６】
2014200636.tif 000008